(57)【要約】【課題】小児普通乗車券の不正を防止する自動改札システム、並びにその上位装置、券売機、監視盤及び自動改札機を提供すること。【解決手段】時間帯など所定の要件の元、小児普通乗車券が券売機Ｍ＋１から発券されたとき、券売機Ｍ＋１は上位装置であるデータ集計機１０に小児普通乗車券の発券通知を行う。データ集計機１０は、券売機Ｍ＋１からの小児乗車券の発券通知を受け、当該情報を当該券売機Ｍ＋１が設置されている改札口２００に設けられた自動改札機を管理する監視盤２に通知する。監視盤２は、当該情報を操作表示部２２Ｂに表示し又はブザーを鼓動して駅係員の注意を喚起する。さらに、小児普通乗車券が当該監視盤２で管理する自動改札機に投入された場合、当該自動改札機のドアを閉にし、当該小児普通乗車券を自動改札機内部に保留する。この保留の解除は、駅係員が、当該監視盤の表示操作部から行うことができる。【選択図】  図１
2012022644.tif 000002
【特許請求の範囲】
【請求項１】
利用者が携帯する乗車券の入場又は出場を判定する自動改札機と、この自動改札機と通信可能に接続されこの自動改札機を管理する監視盤と、乗車券を発券する券売機と、前記監視盤及び券売機と通信可能に接続された上位装置と、で構成された自動改札システムであって、
前記券売機は、
小児普通乗車券が発券されたとき、当該情報を前記上位装置に送信し、
前記監視盤は、
前記上位装置から管轄する範囲内で小児普通乗車券が発券された情報を受信し、当該監視盤が管轄する自動改札機で当該小児普通乗車券が使用される可能性があることを事前に表示又は警報を発することを特徴とする自動改札システム。
【請求項２】
利用者が携帯する乗車券の入場又は出場を判定する自動改札機と、この自動改札機と通信可能に接続されこの自動改札機を管理する監視盤と、乗車券を発券する券売機と、前記監視盤及び券売機と通信可能に接続された上位装置と、で構成された自動改札システムの上位装置であって、
一つの駅に複数の改札口が設けられている場合、一方の改札口に設置された監視盤及び券売機と通信可能に接続され、かつ、他方の改札口に設置された監視盤及び券売機とも通信可能に接続され、何れかの一方の改札口に設置された券売機で小児普通乗車券が発券され、当該情報が当該上位装置に送信されたとき、当該上位装置は当該小児普通乗車券が発券された券売機が設置されている改札口に設置された自動改札機を管理する監視盤に小児普通乗車券が発券された情報を送信することを特徴とする自動改札システムの上位装置。
【請求項３】
前記発券条件は、
前記券売機で発券された小児普通乗車券が大人券との組合せで発券された場合であることを特徴とする請求項２記載の自動改札システムの上位装置。
【請求項４】
利用者が携帯する乗車券の入場又は出場を判定する自動改札機と、この自動改札機と通信可能に接続されこの自動改札機を管理する監視盤と、乗車券を発券する券売機と、前記監視盤及び券売機と通信可能に接続された上位装置と、で構成された自動改札システムの券売機であって、
小児普通乗車券が発券されたとき、当該情報を前記上位装置に送信することを特徴とする自動改札システムの券売機。
【請求項５】
前記券売機はさらに、
小児普通乗車券を発券したとき、発券時刻又は発券条件が所定の要件に含まれる場合には小児普通乗車券が発券された情報を上位装置に送信しないことを特徴とする請求項４記載の自動改札システムの券売機。
【請求項６】
利用者が携帯する乗車券の入場又は出場を判定する自動改札機と、この自動改札機と通信可能に接続されこの自動改札機を管理する監視盤と、乗車券を発行する券売機と、前記監視盤及び券売機と通信可能に接続された上位装置と、で構成された自動改札システムの監視盤であって、
前記上位装置から小児普通乗車券が発券された情報を受信し、当該監視盤が管理する自動改札機で当該小児普通乗車券が使用される可能性があることを事前に表示又は警報を発することを特徴とする自動改札システムの監視盤。
【請求項７】
利用者が携帯する乗車券の入場又は出場を判定する自動改札機と、この自動改札機と通信可能に接続されこの自動改札機を管理する監視盤と、乗車券を発行する券売機と、前記監視盤及び券売機と通信可能に接続された上位装置と、で構成された自動改札システムの自動改札機であって、
前記監視盤から小児普通乗車券の発券情報の通を受けてから所定の時間内に小児普通乗車券の投入があったとき、ドアを閉にし、当該小児普通乗車券を当該自動改札機に保留し、当該小児普通乗車券を使用した利用者の通行を阻止することを特徴とする自動改札システムの自動改札機。
【発明の詳細な説明】
【技術分野】
【０００１】
本発明の実施形態は、小児普通乗車券の不正使用を防止する自動改札システム、並びにその上位装置、券売機、監視盤及び自動改札機に関する。
【背景技術】
【０００２】
近年、鉄道会社において、出改札口の省力化を目的として鉄道などの施設への入場口及び施設からの退場口には自動改札機が設置されている。この自動改札機は、乗車券又は定期券の情報を読み取り判別し、通行の可否を行うものであるが、利用者の中には、小児普通乗車券を購入して小児として鉄道施設を利用する大人がいることが課題となっていた。一般的に小児普通乗車券の購入代金は、大人乗車券の購入代金の半額程度になるように定めている場合が多く、収入のない小児であっても鉄道利用を行うことができるようにとの鉄道会社の配慮である。
【０００３】
従来、小児普通乗車券が自動改札装置で使用された場合には、自動改札装置のランプの点灯により小児表示を行っている。また、小児を連想させる音声を鳴動させる例もある。これらは、大人が小児普通乗車券を使用した場合、周囲の目に触れることによる抑止効果を狙ったものとされる。また、大人乗車券以外の割引乗車券を購入して不正乗車することを防止する不正購入防止システムが知られている（例えば、特許文献１参照。）。
【先行技術文献】
【特許文献】
【０００４】
【特許文献１】特許第３１８０５５１号公報（第４頁、図１）
【発明の概要】
【発明が解決しようとする課題】
【０００５】
しかしながら、大人が小児普通乗車券を使用した場合、小児表示はされるが、通行を拒否できないため、そのまま利用されてしまい不正使用がなくならないという課題があった。また、上記特許文献記載の不正購入防止システムは、カメラにより監視し、不正購入に対して係員が購入の適否を判断して購入を許可しない発明であり、係員の判断が必要とされるという点で課題がある。
【０００６】
本発明は、上記課題を解決するためになされたもので、時間帯など所定の要件の元、小児普通乗車券が発券された券売機からの発券情報に基づいて関連する自動改札機又は当該自動改札機を管理する自動改札機監視盤（以下、監視盤と称す。）に小児普通乗車券の利用者がいることを通知又は小児普通乗車券の利用者を自動改札機で制限することにより、小児普通乗車券の不正使用を防止する自動改札システム、並びにその券売機、監視盤及び自動改札機を提供することを目的とする。
【課題を解決するための手段】
【０００７】
上記目的を達成するために、本発明の請求項１記載の自動改札システムは、利用者が携帯する乗車券の入場又は出場を判定する自動改札機と、この自動改札機と通信可能に接続されこの自動改札機を管理する監視盤と、乗車券を発券する券売機と、前記監視盤及び券売機と通信可能に接続された上位装置と、で構成された自動改札システムであって、前記券売機は、小児普通乗車券が発券されたとき、当該情報を前記上位装置に送信し、前記監視盤は、前記上位装置から管轄する範囲内で小児普通乗車券が発券された情報を受信し、当該監視盤が管轄する自動改札機で当該小児普通乗車券が使用される可能性があることを事前に表示又は警報を発することを特徴とする。
【０００８】
また、本発明の請求項２記載の自動改札システムの上位装置は、利用者が携帯する乗車券の入場又は出場を判定する自動改札機と、この自動改札機と通信可能に接続されこの自動改札機を管理する監視盤と、乗車券を発券する券売機と、前記監視盤及び券売機と通信可能に接続された上位装置と、で構成された自動改札システムの上位装置であって、一つの駅に複数の改札口が設けられている場合、一方の改札口に設置された監視盤及び券売機と通信可能に接続され、かつ、他方の改札口に設置された監視盤及び券売機とも通信可能に接続され、何れか一方の改札口に設置された券売機で小児普通乗車券が発券され、当該情報が当該上位装置に送信されたとき、当該上位装置は当該小児普通乗車券が発券された券売機が設置されている改札口に設置された自動改札機を管理する監視盤に小児普通乗車券が発券された情報を送信することを特徴とする自動改札システムの上位装置。
【０００９】
また、本発明の請求項４記載の自動改札システムの券売機は、利用者が携帯する乗車券の入場又は出場を判定する自動改札機と、この自動改札機と通信可能に接続されこの自動改札機を管理する監視盤と、乗車券を発券する券売機と、前記監視盤及び券売機と通信可能に接続された上位装置と、で構成された自動改札システムの券売機であって、小児普通乗車券が発券されたとき、当該情報を前記上位装置に送信することを特徴とする自動改札システムの券売機。
【００１０】
また、本発明の請求項６記載の自動改札システムの監視盤は、利用者が携帯する乗車券の入場又は出場を判定する自動改札機と、この自動改札機と通信可能に接続されこの自動改札機を管理する監視盤と、乗車券を発行する券売機と、前記監視盤及び券売機と通信可能に接続された上位装置と、で構成された自動改札システムの監視盤であって、前記上位装置から小児普通乗車券が発券された情報を受信し、当該監視盤が管理する自動改札機で当該小児普通乗車券が使用される可能性があることを事前に表示又は警報を発することを特徴とする。
【００１１】
また、本発明の請求項７記載の自動改札システムの自動改札機は、利用者が携帯する乗車券の入場又は出場を判定する自動改札機と、この自動改札機と通信可能に接続されこの自動改札機を管理する監視盤と、乗車券を発行する券売機と、前記監視盤及び券売機と通信可能に接続された上位装置と、で構成された自動改札システムの自動改札機であって、前記監視盤から小児普通乗車券の発券情報の通知を受けてから所定の時間内に小児普通乗車券の投入があったとき、ドアを閉にし、当該小児普通乗車券を当該自動改札機に保留し、当該小児普通乗車券を使用した利用者の通行を阻止することを特徴とする。
【図面の簡単な説明】
【００１２】
【図１】本発明の実施例に係る小児普通乗車券の不正使用を防止する自動改札システム
【図２】図１に示す監視盤の操作表示部
【図３】図１に示す券売機による小児普通乗車券の発券通知に係るフローチャート
【図４】図１に示す自動改札機の小児普通乗車券の判定処理フローチャート
【発明を実施するための形態】
【００１３】
本発明の小児普通乗車券の不正を防止する自動改札システムは、駅構内に設置された券売機、自動改札機及び監視盤及び上記券売機及び監視盤と通信可能に接続されたデータ集計機を有して構成される。以下、図面を参照して本発明を実施例を説明する。
【実施例】
【００１４】
図１は、本発明の実施例に係る小児普通乗車券の不正使用を防止する自動改札システムである。図２は、図１に示す監視盤１の操作表示部２１である。本実施例では、ある駅にＡ改札口１００及びＢ改札口２００が、設けてある場合について説明する。
【００１５】
Ａ改札口１００には、複数の券売機１〜券売機Ｍ、複数の自動改札機１〜自動改札機Ｎ及びこれら複数の自動改札機と通信可能に接続された監視盤１が設置されている。また、監視盤１及び券売機１〜券売機Ｍは上位装置であるデータ集計機１０と通信可能に接続されている。
【００１６】
券売機１〜券売機Ｍによる取引情報は指定されたタイミングでデータ集計機１０に送信される。
【００１７】
監視盤１は、自動改札機１〜自動改札機Ｎと通信可能に接続され、当該自動改札機を管理する。図示した例は、１６台の自動改札機（自動改札機１〜自動改札機１６）を管理することが可能な場合を示す。
【００１８】
すなわち、各自動改札機の電源の入り（ＯＮ）・切り（ＯＦＦ）、動作設定（入場モード、出場モード、一斉開錠、使用停止など）を行うことができる。また、動作中に異常が発生した場合には、異常表示部２１Ａに異常が発生した自動改札機の号機番号が点灯すると共にブザーを鼓動して係員の注意を喚起する。なお、この異常表示部２１Ａの表示及びブザーは対応する自動改札機のリセット釦２１Ｅを押下することにより解除できる。
【００１９】
監視盤１はまた、データ集計機１０と接続され、データ集計機１０に対して各自動改札機から受信した利用状況を送信すると共に、データ集計機１０から受信した小児乗車券の発券情報を各自動改札機１から自動改札機Ｎに送信する。この結果、後述する所定の要件を満たす小児普通乗車券が発券された場合には、当該小児普通乗車券が発券されたことを操作表示部２１Ｂに表示する。図示した例は小児普通乗車券が発券された場合を示す。
【００２０】
Ｂ改札口２００には、データ集計機１０が設置されていないが基本的にはＡ改札口１００と同様に構成されるので、共通する部分の説明は省略し、異なる部分の説明を行う。なお、利用者の形態により券売機、自動改札機又は監視盤の台数が異なる場合があるほか、監視盤の構成及び機能も異なる場合があるのは当然である。
【００２１】
券売機Ｍ＋１〜券売機Ｍ＋ｍ及び監視盤２は、データ集計機１０に対して通信可能に接続される。従って、データ集計機１０には、Ａ改札口１００、Ｂ改札口２００に設置された券売機の利用情報が送信される。図示しない他の改札口が設けられている場合であっても、当該改札口に設置された券売機からの利用情報が送信される。
【００２２】
同様にＢ改札口２００に設置された自動改札機Ｎ＋１〜自動改札機Ｎ＋ｎの利用情報は、監視盤２を介してデータ集計機１０に送信される。
【００２３】
図３は、図１に示す券売機による小児普通乗車券の発券通知に係る処理フローチャートである。
【００２４】
最初に、券売機Ｍ＋１で小児普通乗車券が発券されると（Ｓ０１のＹ）、小児普通乗車券のみの発券であるかどうか確認する（Ｓ０２）。この確認の結果、小児普通乗車券のみの発券の場合は（Ｓ０２のＹ）、当該発券時刻が２２時を過ぎているか確認する（Ｓ０３）。この確認の結果、２２時から終電までの時間に含まれる場合には（Ｓ０３のＹ）、小児普通乗車券が発券されたことをデータ集計機１０に送信する（Ｓ０４）。
【００２５】
一方、ステップＳ０３において、当該発券時刻が２２時から終電までの時間に含まれない場合は（Ｓ０３のＮ）、当該発券の日が平日か確認する。この確認の結果、平日の場合（Ｓ０５のＹ）、当該発券時刻が４：００から６：００までの時間に含まれている場合（Ｓ０６のＹ）、ステップＳ０４に移行して小児普通乗車券の発券を通知する（Ｓ０４）。これは、平日の４：００から６：００までの早朝に小児が一人で小児券を購入して利用することは一般的にはありえないため、大人による不正使用の可能性があるため、このような場合には、データ集計装置１０に通知するようにしたものである。
【００２６】
なお、ステップＳ０５において、平日でない場合（Ｓ０５のＮ）又は平日の早朝でない場合（Ｓ０６のＮ）は、小児が一人で小児券を購入して利用する場合があることを考慮し、小児普通乗車券が発券された場合であっても小児普通乗車券の発券の通知は行わない。
【００２７】
図４は、図１に示す自動改札機の小児普通乗車券の判定処理フローチャートである。図３に示す処理により、小児普通乗車券が不正に使用される可能性がある場合、当該小児普通乗車券が発券された券売機から小児普通乗車券の発券がデータ集計機１０に通知される。
【００２８】
データ集計機１０は、当該券売機が設置されている改札口に設置されている自動改札機を管理する監視盤に小児普通乗車券が発券されたことを通知する。データ集計機１０には、当該駅に設置されている券売機、自動改札機及び監視盤の位置情報が登録されている。例えば、図１に示すように、券売機１〜券売機Ｍ、監査盤１及び自動改札機１〜Ｎは、Ａ改札口に設置されており、券売機Ｍ＋１〜券売機Ｍ＋ｍ、監査盤２及び自動改札機Ｎ＋１〜Ｎ＋ｎは、Ｂ改札口に設置されているという設置位置情報が登録されている。従って、小児普通乗車券が発券されたことをＢ改札口２００に設置されている券売機から通知された場合には、当該券売機が設置されているＢ改札口２００の監視盤２に対して小児普通乗車券が発券されたことを送信（通知）する。
【００２９】
監視盤２は、当該Ｂ改札口２００の券売機から小児普通乗車券が発券された通知を受け、管理する自動改札機Ｎ＋１〜Ｎ＋ｎに対して小児普通乗車券が発券されたことを送信する。
【００３０】
自動改札機は、タイマにタイマ値Ｔ１をセットする（Ｓ１０）。このタイマ値Ｔ１は、券売機で小児普通乗車券が発券されてから改札機で当該小児普通乗車券が使用されるまでの推定時間である。なお、この改札機は監視盤２が管理する自動改札機の中のどの改札機が利用者によって使用されるかわからないので、そのことを考慮してタイマ値Ｔ１が設定される。タイマが“０”であれば（Ｓ１１のＹ）、タイマ値Ｔ１がセットされなかったか又はセットしたタイマ値Ｔ１が経過してしまっているので、この場合は特別の処理を行わず当該処理を終了する。
【００３１】
一方、タイマが“０”でない場合は、当該自動改札装置に投入され普通乗車券が小児普通乗車券であるか確認する。この確認の結果、小児普通乗車券の場合（Ｓ１３のＹ）、ドアを閉にし（Ｓ１４）、小児普通乗車券を自動改札機内部に保留し、小児普通乗車券を使用した利用者の通行を阻止する（Ｓ１５）。
【００３２】
また、このとき、監視盤２に異常表示が行われる。この異常表示に基づいて、駅係員が当該小児普通乗車券を確認するために該当するリセット釦を押下することにより（Ｓ１６）当該保留された乗車券が排出される（Ｓ１７）。この排出された小児普通乗車券確認することにより不正乗車が行われたことを確認することができる。
【００３３】
ステップＳ１３において、自動改札機に投入された乗車券が小児普通乗車券でない場合は（Ｓ１３のＮ）、通常の判定処理を行い（Ｓ１８）、ステップＳ１１に移行し、次に投入される乗車券を待つ（Ｓ１１−Ｓ１２）
以上説明したように、本発明の実施例によれば、小児普通乗車券が発券された券売機は、所定の条件の元、当該小児普通乗車券の発券情報を上位機器を介して監視盤に通知、又は、小児普通乗車券が投入された自動改札機からの入場を禁止することにより小児普通乗車券の不正使用を防止することができる。
【符号の説明】
【００３４】
１０  データ集計機
２１  監視盤１
２２  監視盤２
１００  Ａ改札口
２００  Ｂ改札口
【図１】
2012022644.tif 000003
【図２】
2012022644.tif 000004
【図３】
2012022644.tif 000005
【図４】
2012022644.tif 000006